(57)【要約】【課題】  無駄な電力消費を抑えることができる負荷制御システムを提供する。【解決手段】  エアコン１は、例えばコンプレッサーのような負荷部と、時計部と、時計部により計時される時刻が予め設定されたオン時刻となったときに負荷部をオン制御する制御部とを有する。上記のオン時刻の後、負荷部がオフされることなく所定の通知待機時間が経過した時点で、制御装置２が有する通信部から、使用者が携行する携帯端末機３に対して、エアコン１（負荷部）がオンされていることがプッシュ通知により通知される。上記の通知により、オフを指示する操作を使用者に促し、無駄な電力消費を抑えることができる。また、通知待機時間が経過する前にオフされれば通知がされないから、オン毎に通知がされる場合に比べ、使用者にとっての煩わしさが抑えられる。【選択図】図１
2018011359.tif 000002
【特許請求の範囲】
【請求項１】
時刻が所定のオン時刻となったときに負荷部をオン制御する制御部と、
使用者によって携行される携帯端末機との間で通信を行う通信部とを備え、
前記制御部は、前記携帯端末機から送信されて前記負荷部のオフを指示するオフ制御信号が前記通信部に受信されたとき、前記負荷部をオフし、
前記通信部は、前記負荷部がオンされた後にオフされることなく所定の通知待機時間が経過した時点で、前記負荷部がオンされていることをプッシュ通知により前記携帯端末機に通知することを特徴とする負荷制御システム。
【発明の詳細な説明】
【技術分野】
【０００１】
本発明は、負荷制御システムに関し、より具体的には、予め設定されたオン時刻に負荷部をオン制御する負荷制御システムに関するものである。
【背景技術】
【０００２】
従来、予め設定されたオン時刻に負荷部をオン制御（タイマーオン）する負荷制御システムが提供されている（例えば、特許文献１参照）。
【０００３】
例えば、上記の負荷部がエアーコンディショナー（以下、「エアコン」と呼ぶ。）におけるコンプレッサーである場合、オン時刻としては使用者が帰宅する時刻の少し前としておけば、使用者の帰宅時には室温の調整を完了させることができる。
【先行技術文献】
【特許文献】
【０００４】
【特許文献１】特開２００４−１７６９３６号公報
【発明の概要】
【発明が解決しようとする課題】
【０００５】
上記の負荷制御システムにおいて、使用者が通常と異なるスケジュールで行動する場合、無駄な電力消費が発生する可能性がある。例えば、上記の使用例において、使用者が予定外の外泊を行うことになった場合、帰宅までのエアコンの動作による電力消費が無駄となる。
【０００６】
本発明は、上記事由に鑑みて為されたものであり、その目的は、無駄な電力消費を抑えることができる負荷制御システムを提供することにある。
【課題を解決するための手段】
【０００７】
本発明の負荷制御システムは、時刻が所定のオン時刻となったときに負荷部をオン制御する制御部と、使用者によって携行される携帯端末機との間で通信を行う通信部とを備え、前記制御部は、前記携帯端末機から送信されて前記負荷部のオフを指示するオフ制御信号が前記通信部に受信されたとき、前記負荷部をオフし、前記通信部は、前記負荷部がオンされた後にオフされることなく所定の通知待機時間が経過した時点で、前記負荷部がオンされていることをプッシュ通知により前記携帯端末機に通知することを特徴とする。
【発明の効果】
【０００８】
本発明によれば、携帯端末機への通知によりオフ制御の操作が促されるから、無駄な電力消費を抑えることができる。また、通知待機時間が経過する前にオフ制御されれば通知がされないから、オン制御毎に通知がされる場合に比べ、使用者にとっての煩わしさが抑えられる。
【図面の簡単な説明】
【０００９】
【図１】本発明の実施形態の概略構成を示す説明図である。
【図２】同上を示すブロック図である。
【発明を実施するための形態】
【００１０】
本発明の負荷制御システムは、負荷部１０と、時刻を計時する時計部１４と、時計部１４によって計時された時刻が所定のオン時刻となったときに負荷部１０をオン制御する制御部１２とを備える。さらに、本発明の負荷制御システムは、使用者によって携行される携帯端末機３との間で通信を行う通信部２３とを備える。制御部１２は、携帯端末機３から送信されて負荷部１０のオフ制御を指示するオフ制御信号が通信部２３に受信されたとき、負荷部１０をオフ制御する。通信部２３は、制御部１２によって負荷部１０がオン制御された後にオフ制御されることなく所定の通知待機時間が経過した時点で、負荷部１０がオン制御されていることを携帯端末機３に通知する。
【００１１】
以下、本発明を実施するための最良の形態について、図面を参照しながら説明する。
【００１２】
本実施形態の負荷制御システムは、図１に示すように、エアコン１と、エアコン１との間で無線信号を送受信する制御装置２とを備える。
【００１３】
すなわち、エアコン１と制御装置２とは、それぞれ、図２に示すように、無線信号を送受信する無線通信部１１，２１を有する。上記の無線信号は、例えば、いわゆる特定小電力無線の基準に従った電波である。上記のような無線通信部１１，２１は周知技術で実現可能であるので、詳細な図示並びに説明は省略する。
【００１４】
また、エアコン１は、無線通信部１１に受信された無線信号に従って負荷部１０を制御する制御部１２を備える。負荷部１０は具体的には例えばコンプレッサーである。上記のような制御部１２は例えばマイコンを用いて周知技術で実現可能であるので詳細な図示並びに説明は省略する。
【００１５】
さらに、エアコン１は、オン時刻を記憶する記憶部１３と、時刻を計時する時計部１４とを有する。記憶部１３は周知の不揮発性メモリからなる。また、時計部１４は周知技術で実現可能であるので詳細な図示並びに説明は省略する。
【００１６】
エアコン１の制御部１２は、時計部１４によって計時された時刻が、記憶部１３に記憶されたオン時刻に一致したとき、負荷部１０をオン制御（タイマーオン）する。また、エアコン１の制御部１２は、オン時刻の更新（すなわち、追加や削除や変更）を指示する無線信号が無線通信部１１に受信されたとき、該無線信号に従って、記憶部１３におけるオン時刻の更新を行う。
【００１７】
また、エアコン１は、無線通信部１１に受信される無線信号とは別途の入力を受け付ける入力部１５を有し、制御部１２は、入力部１５に受け付けられた入力によっても、負荷部１０の制御やオン時刻の更新を行う。入力部１５は、押釦スイッチ等により操作入力を受け付けるものであってもよいし、フォトダイオード等によりリモコン（図示せず）からの信号（例えば光信号）を受信するものであってもよいし、これら両方を備えていてもよい。上記のような入力部１５は周知技術で実現可能であるので詳細な図示並びに説明は省略する。
【００１８】
さらに、本実施形態は、使用者によって携行される携帯端末機３を備える。携帯端末機３は、公衆網４１に接続された基地局４２との間で電波を媒体とした無線信号の送受信を行う通信部３１と、通信部３１を制御する制御部３２とを備える。また、携帯端末機３は、操作入力を受け付ける操作部３３と、各種の表示を行う表示部３４とを備える。操作部３３と表示部３４とは周知のタッチパネルとして一体化されていてもよい。制御部３２は、操作部３３に受け付けられた操作入力や通信部３１に受信された無線信号に応じて、通信部３１や表示部３４を制御する。上記のような携帯端末機３としては、例えば周知のタブレットＰＣやスマートフォンなどを用いることができる。
【００１９】
また、制御装置２は、公衆網４１に接続され、公衆網４１と基地局４２とを介して携帯端末機３の通信部３１との間で通信を行う通信部２３を備える。通信部２３はモデムのようなデータ回線終端装置を含んでいてもよいし、別途のルータ（図示せず）やデータ回線終端装置（図示せず）を介して公衆網４１に接続されるものであってもよい。
【００２０】
携帯端末機３において、負荷部１０のオフ制御（停止）を指示する操作入力が操作部３３に受け付けられると、制御部３２は、負荷部１０のオフ制御を指示する信号（以下、「オフ制御信号」と呼ぶ。）を制御装置２に送信するように通信部３１を制御する。制御装置２においては、上記のオフ制御信号が通信部２３に受信されると、制御部２２は、負荷部１０のオフ制御を指示する無線信号を送信するように無線通信部２１を制御する。エアコン１においては、上記の無線信号が無線通信部１１に受信されると、制御部１２は負荷部１０をオフ制御する（つまり負荷部１０を停止させる）。
【００２１】
以下、本実施形態の特徴部分について説明する。
【００２２】
エアコン１において、記憶部１３には、オン時刻とともに通知待機時間が記憶されている。時刻がオン時刻となって負荷部１０のオン制御がされた後、オフ制御がされることなく上記の通知待機時間が経過した時点で、エアコン１の制御部１２は、通知待機時間の経過を通知する無線信号を制御装置２へ送信するように無線通信部１１を制御する。
【００２３】
制御装置２において、上記の無線信号が無線通信部２１に受信されると、制御部２２は、負荷部１０がオン状態であることを通知する信号（以下、「通知信号」と呼ぶ。）を携帯端末機３に送信するように通信部２３を制御する。
【００２４】
携帯端末機３において、上記の通知信号が通信部３１に受信されると、制御部３２は、負荷部１０がオン状態であること（エアコン１がタイマーオンされていること）を表示するように表示部３４を制御する。これにより、使用者に対し、エアコン１のオン状態（厳密には負荷部１０のオン状態）が通知される。なお、表示部３４への表示による通知に代えて又は加えて、音声による通知が行われるようにしてもよい。
【００２５】
上記の通知を確認した使用者は、操作部３３を操作することで、制御装置２を介した制御によりエアコン１（負荷部１０）をオフ制御することができる。いわゆるタッチパネルにより操作部３３と表示部３４とが構成されている場合、負荷部１０のオン状態を通知する画面に、オフ制御を指示するためのボタンを表示してもよい。
【００２６】
上記の通知待機時間は、負荷部１０のオン状態が通常継続される時間程度とされる。具体的には例えば、オン時刻が使用者の起床時間の少し前とされ、オン時刻の３時間後までに使用者が入力部１５への入力によりエアコン１（負荷部１０）をオフして外出するのが通常である場合、上記の通知待機時間は３時間とされる。オン時刻が複数個設定される場合、通知待機時間は、全てのオン時刻で共通でもよいし、オン時刻毎に異なっていてもよい。
【００２７】
また、エアコン１の制御部１２は、通知待機時間の変更を指示する入力が無線通信部１１や入力部１５にあったとき、該入力に従って、記憶部１３における通知待機時間の変更を行う。これにより、通知待機時間を、使用者の生活パターンに合わせた長さとすることができる。
【００２８】
上記構成によれば、携帯端末機３への通知によりオフ制御の操作が促されるから、無駄な電力消費を抑えることができる。
【００２９】
また、通知待機時間が経過する前に携帯端末機３の操作や入力部１５への入力によりオフ制御されれば通知がされないから、オン制御毎に通知がされる場合に比べ、使用者にとっての煩わしさが抑えられる。
【００３０】
なお、制御装置２の通信部２３と携帯端末機の通信部３１との間で送受信される信号としては、例えば電子メールを用いることができる。上記の信号として電子メールを用いる場合、制御装置２の制御部２２と、携帯端末機３の制御部３２とは、それぞれ、定期的にメールサーバーから上記の信号（電子メール）を受信するように通信部２３，３１を制御する。これにより、携帯端末機３においては、使用者からの要求（操作）がなくとも通知を行うこと（いわゆるＰＵＳＨ通知）が可能となる。または、メールサーバー以外のサーバー（図示せず）であって公衆網４１に接続されたものを、制御装置２と携帯端末機３との通信に介在させてもよい。例えば、負荷部１０がオン状態であることなどの情報が制御装置２から適宜のタイミングで送信されて上記のサーバーに保存され、携帯端末機３は定期的に上記のサーバーにアクセスして上記の情報を取得する。また、通信のプロトコルとしては、一般的な電子メールに用いられるSMTPやPOPに代えて、HTTP (Hypertext Transfer Protocol) やFTPS (File Transfer Protocol overSSL/TLS) やSFTP (SSH File Transfer Protocol) などの他のプロトコルを用いてもよい。
【００３１】
また、記憶部１３や時計部１４や入力部１５をエアコン１に設ける代わりに、制御装置２に設けてもよい。この場合、オン制御を指示する入力が入力部１５にあったときや、時刻がオン時刻となったときに、制御装置２から送信される無線信号によりエアコン１（負荷部１０）がオン制御される。
【００３２】
さらに、本実施形態においては、負荷部１０を制御する制御部１２と、携帯端末機３との通信を行う通信部２３との間に、無線通信部１１，２１による無線通信が介在しているが、これを有線通信に変更してもよい。
【符号の説明】
【００３３】
３  携帯端末機
１０  負荷部
１２  制御部
１４  時計部
２３  通信部
【図１】
2018011359.tif 000003
【図２】
2018011359.tif 000004